(57)【特許請求の範囲】
【請求項１】
乾電池又は二次電池等の電源を備えたケーシングの一端に、該電源に接続された電熱線を有する加温部を備え、前記ケーシングの他端に、前記電源をＯＮ−ＯＦＦするためのスイッチ部を備えてなり、前記電熱線の前方に、該電熱線からの熱を所定範囲に絞り込むためにほぼ中心部に開口部が形成された金属板を設け、前記電熱線を駆動及び駆動停止させるための電熱線駆動制御回路を前記ケーシングに備えさせ、前記電熱線駆動制御回路が、前記電熱線を複数回駆動させるときの第２回目以降の駆動時間を第１回目の駆動時間よりも短く設定した状態で記憶させるための駆動時間記憶手段と、前記駆動時間記憶手段からの駆動時間に基づいて前記電熱線の駆動を行って該電熱線から放射される熱の上限温度をほぼ同一温度に保つための温度制御手段とを備え、前記温度制御手段が、パターン化された複数の制御プログラムからなり、前記複数の制御プログラムを選択するための選択部を備え、前記選択部を、前記スイッチ部にて兼用構成したことを特徴とする携帯用電灸器。
【請求項２】
前記電熱線の後方に該電熱線からの熱を前方に向けて反射させるための反射部を設けてなる請求項１記載の携帯用電灸器。
【請求項３】
前記加温部を覆うカバー体の前側に形成された熱放出用の開口部を、透明な保護膜にて覆ってなる請求項１記載の携帯用電灸器。
【請求項４】
前記加温部の基端部が、前記ケーシングの一端にそれに対してほぼ直交する方向の支軸で揺動自在に枢支連結されてなる請求項１記載の携帯用電灸器。
【請求項５】
前記金属板の開口部を、３〜４ｍｍの範囲の直径を有する円形の開口部からなる請求項１記載の携帯用電灸器。
【請求項６】
前記スイッチ部が、前記電熱線の駆動に伴って点灯する点灯手段を備えてなる請求項１に記載の携帯用電灸器。
【請求項７】
前記電熱線の駆動時間を表示するための表示部を備えてなる請求項１又は２に記載の携帯用電灸器。
【請求項８】
請求項１に記載の加温部の複数を経穴に固定可能な固定手段と、前記複数の加温部を駆動するための電源部とからなる電灸装置。
【発明の詳細な説明】
【０００１】
【発明の属する技術分野】
本発明は、乾電池又は二次電池等の電源を備えたケーシングの一端に、該電源に接続された電熱線を有する加温部を備え、前記ケーシングの他端に、前記電源をＯＮ−ＯＦＦするためのスイッチ部を備えた携帯用電灸器及びその携帯用電灸器の加温部の複数を利用して複数箇所の経穴に一度に加温することができる電灸装置に関する。
【０００２】
【従来の技術】
従来から温灸方法としては、米粒又は半米粒大の艾（もぐさ）やセンネン灸を用いて、病気に応じて決まっている所定の経穴に施灸するものが知られている。そして、前記施灸する場合には、例えば病院等において患者に棒灸やセンネン灸を渡し（自分で薬局等で自分で購入する場合もある）、自宅に持ち帰って自分で施灸するように指示することもある。
【０００３】
【発明が解決しようとする課題】
しかし、前記の場合、艾やセンネン灸に火を付けて施灸することになるが、経穴によっては患者の体勢が制限されることがあるだけでなく、火傷や火事になることがあり、施灸を行うことが難しいものであった。特に、自宅で年寄りの患者等が棒灸により施灸する場合には、前記火事を引き起こす可能性が高いものであった。
又、前記藻草を同じ経穴に３壮（３回）据えて艾の温度変化を検出してグラフにしたものを、図１５に示している。図１５では、３つの異なるピーク温度ＴＡ，ＴＢ，ＴＣが示され、いずれも２００℃を越える高温であるため、前記火傷や火事になりやすいだけでなく、艾を据える量の違い等によってピーク温度が異なっており、しかもそのピーク温度の低温時と高温時の温度差が大きいため、施灸に耐えきれない場合も多く、扱い難いものであった。
又、遠足などにより外出した外出先で蜂などの毒性の強い昆虫等に刺された場合に、前記艾を常時持ち歩いていないため、艾を用いて治療することが難しいものであった。
又、前記艾を多数の経穴に一度に据えることができないため、何回も施灸を行わなければならず、手間のかかる不便なものであった。
【０００４】
本発明が前述の状況に鑑み、解決しようとするところは、火傷や火事を防止し、適温にて経穴に当てることができ、しかも持ち運びに便利であるだけでなく、多数の経穴に熱を一度に与えることができる携帯用電灸器及び電灸装置を提供する点にある。
【０００５】
【課題を解決するための手段】
本発明の携帯用電灸器は、前述の課題解決のために、乾電池又は二次電池等の電源を備えたケーシングの一端に、該電源に接続された電熱線を有する加温部を備え、前記ケーシングの他端に、前記電源をＯＮ−ＯＦＦするためのスイッチ部を備えてなり、前記電熱線の前方に、該電熱線からの熱を所定範囲に絞り込むためにほぼ中心部に開口部が形成された金属板を設け、前記電熱線を駆動及び駆動停止させるための電熱線駆動制御回路を前記ケーシングに備えさせ、前記電熱線駆動制御回路が、前記電熱線を複数回駆動させるときの第２回目以降の駆動時間を第１回目の駆動時間よりも短く設定した状態で記憶させるための駆動時間記憶手段と、前記駆動時間記憶手段からの駆動時間に基づいて前記電熱線の駆動を行って該電熱線から放射される熱の上限温度をほぼ同一温度に保つための温度制御手段とを備え、前記温度制御手段が、パターン化された複数の制御プログラムからなり、前記複数の制御プログラムを選択するための選択部を備え、前記選択部を、前記スイッチ部にて兼用構成したことを特徴としている。
従って、電源をＯＮ操作して電熱線を駆動すると、電熱線から放射される熱の放射範囲が金属板にて絞り込まれることによって、特定範囲に効率よく熱を集めて温度を高めることができると共に火傷する範囲を小さく抑えることができる。尚、前記金属板の開口部の大きさを変更することによって、電熱線から外部に放射される熱の放射範囲を変更することができる。
又、第１回目に電熱線を駆動する直前の電熱線の周囲温度が最も低く、第１回目の駆動を所定時間行うことにより、所定温度になったとして電熱線の駆動を一旦停止する。そして、所定時間経過後、第２回目の電熱線を駆動するときには電熱線が完全に冷えていないため、電熱線の周囲温度が第１回目に電熱線を駆動する直前の電熱線の周囲温度よりも高くなり、その分だけ第２回目の電熱線の駆動時間を短く設定する、つまり第３回目以降の電熱線の駆動時間は更に短く設定することによって、電熱線から放射される熱の最高温度をほぼ同一温度に維持することができる。
又、前記温度制御手段が、パターン化された複数の制御プログラムからなり、前記複数の制御プログラムを選択するための選択部を備えさせることによって、複数の制御プログラムの中から選択部によって選択するだけで、その選択された制御プログラムに沿って電熱線の温度制御を自動的に行うことができる。
又、前記選択部を、前記スイッチ部にて兼用構成することによって、それらを別々に設ける場合に比べて部品点数の削減化を図ることができるだけでなく、スイッチのＯＮ操作に連続して選択部の選択操作を行うことができる。
【０００６】
前記電熱線の後方に該電熱線からの熱を前方に向けて反射させるための反射部を設けることによって、後方に放射される熱をも前方側へ反射させて熱の放射量を増大させることができる。
【０００７】
前記加温部を覆うカバー体の前側に形成された熱放出用の開口部を、透明な保護膜にて覆うことによって、開口部から髪の毛等が入り込んで焼けてしまうことを防止することができる。
【０００８】
前記加温部の基端部を、前記ケーシングの一端にそれに対してほぼ直交する方向の支軸で揺動自在に枢支連結することによって、加温部をケーシングに対してあらゆる角度に揺動させることができるから、体勢を変更させなくても、加温部をどの位置の経穴に対しても加温部からの熱を確実に放射することが可能になる。
【０００９】
前記金属板の開口部を、３〜４ｍｍの範囲の直径を有する円形の開口部から構成することによって、経穴に当てる範囲を直径が０．３〜０．８ｍｍの円形の範囲にすることができ、火傷の範囲を最小限に抑えることができ、好ましい。
【００１４】
前記スイッチ部が、前記電熱線の駆動に伴って点灯する点灯手段を備えることによって、加温部の駆動状態を直ちに把握することができる。
【００１５】
前記電熱線の駆動時間を表示するための表示部を備えさせることによって、例えば左右の同じ経穴に加温部からの熱を放射して、熱を感じたときに加熱部の駆動を停止させ、そのときの駆動時間を把握することで、左右それぞれの感熱度を測定することができる。前記感熱度により経絡のアンバランス及び臓腑機能状態を推定することができる。
【００１６】
請求項１に記載の加温部の複数を経穴に固定可能な固定手段と、前記複数の加温部を駆動するための電源部とからなる電灸装置を用いることによって、多数の経穴を一度に加温することができる。
【００１７】
【発明の実施の形態】
図１〜図４に、本発明の携帯用電灸器が示されている。この携帯用電灸器は、電源としての２個の乾電池１，１を一直線上に直列状態で収納可能な空間を備えた円筒状（楕円筒状又は角筒状等でもよい）のケーシング２と、このケーシング２の一端に形成された螺子部２Ａにねじ込み固定される加温部３と、前記ケース２の他端に取り付けられたスイッチ部４等から構成され、スイッチ部４をＯＮ操作して経穴に加温部３を当てることによって加温部３からの熱を伝達することができるようにしている。前記乾電池は、単３サイズの１．５Ｖのものを使用し、２個で３Ｖの電圧を発生させるものから構成しているが、乾電池の種類及び個数は自由に変更することができる。又、前記乾電池に代えて、鉛蓄電池、アルカリ蓄電池、ニッケル・カドミウム蓄電池等の各種の蓄電池（二次電池）等でもよい。ここでは、前記ケーシング２に、通常のペンライトを構成するケーシング部分を用いて、それの一端部に加温部を取り付けた構造としているが、他の構成であってもよい。
【００１８】
前記加温部３は、前記乾電池１からの電圧を受けて発熱する電熱線５と、この電熱線５の両端に電圧をかけて電熱線５を発熱させるための左右一対の電極６，６と、前記電極６，６の基端部が固定された絶縁基板Ｋ等を備えたヒータ本体部７と、前記電熱線５のマイナス側と乾電池１のマイナス側とをケーシング２を介して導通状態にするための固定ソケット８と、これら全てを収納すると共に前記ケーシング２のねじ部２Ａにねじ込み固定可能なねじ部９Ａを一端に備え、かつ、他端に開口９Ｋを備えた円筒状で外形が先端側ほど先細り形状となるカバー体９とからなっているが、他の構成であってもよい。
【００１９】
図２〜図５に示すように、前記カバー体９の内部の先端側箇所に、該カバー体９の内部に収納される前記電熱線５からの熱を所定範囲Ｈに絞り込むためにほぼ中心部に開口部１０Ａが形成されたアルミニウム等で形成された円環状又はドーナツ形状の金属板１０を備えさせてあり、集光レンズ１０の開口部１０Ａを通して放射される熱に対して開口部１０Ａに当たって反射した熱を重ね合わせることで、所定範囲Ｈのみ熱の放射量を集中させて設定温度（７０℃〜８０℃の間）に高めることができるようにしている。前記所定範囲Ｈは、０．３ｍｍ〜０．８ｍｍが最適であり、前記開口部１０Ａを３〜４ｍｍの範囲の直径を有する円形の開口部に構成することによって、所定範囲Ｈを、０．３ｍｍ〜０．８ｍｍに設定することができる。尚、前記電熱線５から金属板１０までの距離は、２〜３ｍｍの範囲に設定しているが、電熱線５の太さや前記開口部１０Ａの大きさ等によって前記距離を変更することで、所定範囲Ｈを０．３ｍｍ〜０．８ｍｍに設定することになる。
【００２０】
又、カバー体９の前端部に、カバー体９の開口９Ｋを閉じるための耐熱性でフィルム状の透明な保護膜１１を貼り付けており、毛髪などがカバー体９の内部に入り込んで電熱線５からの熱により燃えてしまうことがないようにしている。尚、前記保護膜１１の厚みは、熱を透過し易い厚みの薄いフィルム状のものが好ましいが、毛髪などがカバー体９の内部に入り込むことを防ぐことができるものであれば、他の構成のものであってもよい。
【００２１】
又、前記電熱線５の後方に、電熱線５からの熱を前方に向けて反射させるための反射部としての反射鏡１２を取り付けてあり、反射鏡１２から反射した熱をも外部に照射することによって、熱の放射量を飛躍的に増大させることができるようにしている。図では、前記反射鏡１２を凹面形状に形成することによって、後方に発する熱を中心部に反射させてより一層熱の放射量を増大させることが出来る利点があるが、偏平な面であってもよい。
【００２２】
前記スイッチ部４は、押しボタン式の可動操作部４Ａと、この可動操作部４Ａを支持すると共に可動操作部４Ａの押し操作により前記乾電池１，１と前記加温部３の電熱線５とを導通状態にするための本体部４Ｂとからなっている。前記本体部４Ｂの側面には、胸ポケット等に挟持固定するためのクリップ１７が取り付けられているが、無くてもよい。前記スイッチ部４を押しボタン式に構成する他、図８に示すように回転式に構成する他、揺動式のものであってもよい。
【００２３】
図４〜図６に示すように、前記カバー体９の内部に電熱線５からの熱により変化する内部温度を検出するための温度センサ１８を配置し、前記温度センサ１８からの温度が設定された上限温度に達したときに前記電熱線５の駆動を停止するための電熱線駆動制御回路１９を前記ケーシング２に備えさせることによって、電熱線からの熱による放射温度を設定された上限温度に保持することができるようにしているが、所定時間のみ電熱線５の駆動を行うことにより内部温度を所定温度に維持するためのタイマ回路を設けて実施してもよい。
【００２４】
前記電熱線駆動制御回路１９は、前記電熱線５を複数回駆動させるときの駆動時間を後の駆動時間ほど短く設定した状態で記憶させるための駆動時間記憶手段２０と、前記駆動時間記憶手段２０からの駆動時間に基づいて電熱線５の駆動を行って電熱線５から放射される熱の最高温度（上限温度）をほぼ同一に保つための温度制御手段２１とを備えている。
従って、スイッチ部４がＯＮ操作されると、駆動時間記憶手段２０にて記憶されている第１回目の駆動時間（図７では約７秒間）駆動した後、設定時間（図７では約８秒間）駆動停止し、設定時間駆動停止後の下限温度Ｔ４が第１回目の駆動開始直前の時の温度（図７では示していないが、３２℃よりも低い温度になる）よりも高い４２℃であるため、第２回目の駆動時間を前記駆動時間よりも短い時間（図７では４秒）にして駆動することによって、上限温度Ｔ２を第１回目の上限温度Ｔ１（図７では８０℃）と同一温度の８０℃に達することができるようにしている。そして、前記第２回目の駆動が停止し、設定時間（図７では約８秒間）駆動停止した後、前記下限温度Ｔ４と同一温度の下限温度Ｔ５から第３回目の駆動時間を前記第２回目の駆動時間と同じ駆動時間（図７では４秒）にして駆動することによって、上限温度Ｔ３を第１回目の上限温度Ｔ１や第２回目の上限温度Ｔ２と同一温度の８０℃にすることができるようにしているが、実際には、周囲温度変化等の影響により上限温度Ｔ１〜Ｔ３が多少変動することになる。尚、図７では、上限温度を８０℃に設定しているが、７０℃〜８０℃の間の任意の温度に設定して実施してもよい。又、前記３つの上限温度Ｔ１，Ｔ２，Ｔ３が全て同一温度になるようにしたが、７０℃〜８０℃で任意の異なる温度になるように前記駆動時間を設定して実施することもできる。又、下限温度Ｔ４，Ｔ５，Ｔ６をいずれも４２℃としたが、他の温度に設定して実施してもよい。例えば、下限温度が徐々に高くなるようにすれば、上限温度へ達するための駆動時間を更に短くすることができる。
又、前記温度制御手段２１が、パターン化された複数（ここでは４個であるが、複数であれば何個であってもよい）の制御プログラムからなり、前記４個の制御プログラムを選択するための選択部２２を、図８に示すように、回転式のスイッチ部４に備えさせることによって、４つの制御プログラムの中から選択部２２によって選択するだけで、その選択された制御プログラムに沿って電熱線５の温度制御を自動的に行うことができるようにしている。図８においてスイッチ部４に付されている数字の３は、前述のように３回上限温度に達するように電熱線５の駆動制御を行うためのプログラムを開始することができる位置を示し、又、５は、５回上限温度に達するように電熱線５の駆動制御を行うためのプログラムを開始することができる位置を示し、１１は、１１回上限温度に達するように電熱線５の駆動制御を行うためのプログラムを開始することができる位置を示し、２１は、２１回上限温度に達するように電熱線５の駆動制御を行うためのプログラムを開始することができる位置を示しているが、図に示されるものに限定されるものではない。尚、記憶された上限温度が多ければ多いほど時間がかかることになる。このように図８のＯＦＦ位置から反時計周りに可動操作部４Ａを連続的に回転させることによって、可動操作部４Ａの矢印の向き（方向）を２１、１１、５、３のいずれかに迅速に位置させることができる利点がある。図８のＯＮ位置に可動操作部４Ａを回転させて矢印を向けて可動操作部４Ａを押し込むことによって、予め設定された温度（７０℃〜８０℃の間の温度）に常に維持することができるように電熱線５の駆動を行い、前記可動操作部４Ａの矢印の向き（方向）を２１、１１、５、３のいずれかに位置させて可動操作部４Ａを押し込むことによって、前述の駆動制御を開始するのである。
前記可動操作部４Ａの内部に、加温部３の駆動、つまり電熱線５の駆動に伴って点灯する発光ダイオード等の点灯手段を備えさせておけば、その可動操作部４Ａの点灯状態により電熱線５が駆動されているかどうかを把握することができる。
又、図１１に示すように、前記電熱線５の駆動時間をデジタル表示するための表示部２３を備えさせて実施してもよい。
【００２５】
前記携帯用電灸器を、図９及び図１０に示すように構成してもよい。つまり、前記加温部３の基端部と前記ケーシング２とをジョイント部材１６を介して連結してもよい。前記ジョイント部材１６は、前記ケーシング２の先端のねじ部２Ａにねじ部１３Ａを螺合することで固定された二股状の支持部１３と、一端（基端部）が前記支持部１３に挟み込まれた状態でピン１４を介して枢支連結されると共に他端（先端部）に前記カバー体９のねじ部９Ａにねじ部１５Ａを螺合することで該カバー体９が連結された可動部材１５とからなり、ピン１４の軸芯Ｘ周りで可動部材１５を揺動させることにより加温部３をケーシング２の長手方向と直交する方向に揺動させることができるように構成している。このように加温部３を角度変更することができるから、体勢を大きく変更しなければ加温部３を当てることができない経穴へも加温部３の角度変更だけで当てることができる利点がある。図では、ピン１４により連結しているから、ケーシング２に対して同一方向に角度変更することができるようになっているが、球形状のジョイント部材にて連結することによって、どの方向にも角度変更することができるようにしてもよい。
【００２６】
又、図１２（ａ），（ｂ）に示すように、前記加温部３をケーシング２に対して携帯用電灸器の長手方向に移動自在で、かつ、コイルスプリング２４を用いて突出側へ移動付勢して実施してもよい。前記突出側へ移動付勢している状態では、図１２（ｂ）に示すように、固定ソケット８とケーシング２とが接触していない状態になり、前記スイッチ部４をＯＮ操作しても電熱線５を駆動しないように構成されている。そして、前記スイッチ部４をＯＮ操作した状態で、加温部３を経穴に当てることによって、図１２（ａ）に示すように加温部３がコイルスプリング２４の付勢力に抗して押し込まれることで、固定ソケット８とケーシング２とが接触状態（導通状態）になり、電熱線５を駆動することができるようになっている。このようにスイッチ部４をＯＮ操作しても、加温部３を経穴に当てなければ電熱線５を駆動することがないから、無駄な電熱線５の駆動を阻止することができ、その分電池の寿命を延ばすことが出来る利点がある。尚、前記加温部３を経穴への当て付けを解除することによって、前記コイルスプリング２４の付勢力にて加温部３が突出位置に復帰して電熱線５の駆動が停止されることになる。
【００２７】
図１４に、前記加温部３の多数（図では６個であるが、２個以上であれば何個であってもよい）を身体Ｂの経穴に固定手段を用いて固定し、それら加温部３群を駆動するための電源部２５を設けて電灸装置を構成している。前記固定手段は、加温部３の先端面に透明な薄い両面テープを備えさせたものであってもよいし、又、他の方法で固定するものであってもよい。図１４に示す２６は、各加温部３からの電源供給用のコードであり、これらコード２６を電源部２５側でチューブ２７にて一纏めにしている。前記各加温部３の詳細を図１３に示し、図２で示した部品を使用し、これにケーシング２８及び前記コード２６を追加したものからなっている。前記多数の加温部３の電熱線５を同時に駆動してもよいし、時間を少しずらして所定の順序で電熱線５を駆動することもできるし、又、前述のような電熱線５の駆動制御を行うようにしてもよい。
【００２８】
【発明の効果】
請求項１の発明によれば、電熱線から発する熱を特定範囲に効率よく集めて所定温度にすることによって、従来のように必要以上に高温になって火傷になることがないことは勿論のこと、火事の心配もなく、適温にて経穴に当てることができる。しかも、持ち運びに便利であるから、常に持ち歩くことができるから、例え蜂などの毒性の強い昆虫等に刺された場合でも、その場で直ちに刺された跡に電熱線からの熱を当てることによって、毒液（蛋白質）を高温によって変性させることで、毒性を失わせて応急処置を行うことができる利点がある。
又、電熱線を駆動及び駆動停止させるための電熱線駆動制御回路を前記ケーシングに備えさせ、電熱線駆動制御回路が、電熱線を複数回駆動させるときの第２回目以降の駆動時間を第１回目の駆動時間よりも短く設定した状態で記憶させるための駆動時間記憶手段と、前記駆動時間記憶手段からの駆動時間に基づいて電熱線の駆動を行って電熱線から放射される熱の上限温度をほぼ同一温度に保つための温度制御手段とを備えさせることによって、駆動時間を設定するだけで、温度センサ等を不要にしながらも、精度よく温度制御を行うことができ、コスト面において有利になる。
又、温度制御手段が、パターン化された複数の制御プログラムからなり、前記複数の制御プログラムを選択するための選択部を備えさせることによって、複数の制御プログラムの中から選択部によって選択するだけで、その選択された制御プログラムに沿って電熱線の温度制御を自動的に行うことができ、使用面において有利な携帯用電灸器に構成することができる。
又、選択部を、スイッチ部にて兼用構成することによって、それらを別々に設ける場合に比べて部品点数の削減化を図ることができるだけでなく、スイッチのＯＮ操作に連続して選択部の選択操作を行うことができ、操作性においても有利になる。
【００２９】
請求項２の発明によれば、電熱線の後方に電熱線からの熱を前方に向けて反射させるための反射部を設けることによって、後方に放出される熱をも前方側へ反射させて熱の照射量を更に増大させることができるから、経穴への照射時間の短縮化をより一層図ることができる。
【００３０】
請求項３の発明によれば、熱放出用の開口部を透明な保護膜にて覆うことによって、開口部から髪の毛等が入り込んで焼けてしまうことを防止することができ、信頼性の高い携帯用電灸器とすることができる。
【００３１】
請求項４の発明によれば、加温部の基端部を、ケーシングの一端にそれに対してほぼ直交する方向の支軸で揺動自在に枢支連結することによって、加温部をケーシングに対してあらゆる角度に揺動させることができるから、体勢を変更させなくても、加温部をどの位置の経穴に対しても加温部からの熱を放射することが可能になり、使用面において有利な商品価値の高いものにすることができる。
【００３６】
請求項６の発明によれば、スイッチ部が、電熱線の駆動に伴って点灯する点灯手段を備えることによって、特に加温部を直接視認できないような場合でもスイッチ部の点灯状態を見れば、加温部の駆動状態を直ちに把握することができる利点がある。
【００３７】
請求項７の発明によれば、電熱線の駆動時間を表示するための表示部を備えさせることによって、例えば左右の同じ経穴に加温部からの熱を放射して、熱を感じたときに加熱部の駆動を停止させ、そのときの駆動時間を把握することで、左右それぞれの感熱度を測定することができる。そして、前記感熱度により経絡のアンバランス及び臓腑機能状態を推定することができる利点があり、使用面において付加価値の大きなものにすることができる。
【００３８】
請求項８の発明によれば、請求項１に記載の加温部の複数を経穴に固定可能な固定手段と、前記複数の加温部を駆動するための電源部とからなる電灸装置を用いることによって、多数の経穴を一度に加温することができ、使用面において更に便利にすることができる。
【図面の簡単な説明】
【図１】携帯用電灸器の斜視図である。
【図２】携帯用電灸器の加温部の分解斜視図である。
【図３】携帯用電灸器の分解斜視図である。
【図４】携帯用電灸器の加温部の縦断面図である。
【図５】携帯用電灸器の加温部の先端部を示す縦断面図である。
【図６】制御ブロック図である。
【図７】電熱線の温度制御を示すグラフである。
【図８】別のスイッチ部を示す斜視図である。
【図９】加温部を角度変更できるように構成した携帯用電灸器の斜視図である。
【図１０】図９で示した携帯用電灸器の分解斜視図である。
【図１１】表示部を備えさせた携帯用電灸器の斜視図である。
【図１２】別の携帯用電灸器の加温部の縦断面図を示し、（ａ）は経穴に当てて導通状態になっている状態を示し、（ｂ）は非導通状態を示している。
【図１３】別の加温部を示す分解斜視図である。
【図１４】図１３の加温部の多数を経穴に固定してなる電灸装置を示す斜視図である。
【図１５】従来のお灸による温度変化を示すグラフである。
【符号の説明】
１  乾電池            ２  ケーシング
２Ａ  ねじ部          ３  加温部
４  スイッチ部        ４Ａ  可動操作部
４Ｂ  本体部          ５  電熱線
６  電極              ７  ヒータ本体部
８  固定ソケット      ９  カバー体
９Ａ  ねじ部          ９Ｋ  開口
１０  金属板
１０Ａ  開口部        １１  保護膜
１２  反射鏡          １３  支持部
１３Ａ  ねじ部        １４  ピン
１５  可動部材        １５Ａ  ねじ部
１６  ジョイント部材  １７  クリップ
１８  温度センサ      １９  電熱線駆動制御回路
２０  設定温度記憶手段
２１  温度制御手段    ２２  選択部
２３  表示部          ２４  コイルスプリング
２５  電源部          ２６  コード
２７  チーブ          ２８  ケーシング
Ｋ  絶縁基板          Ｘ  軸芯
【図１】
0003772797.tif 000002
【図２】
0003772797.tif 000003
【図３】
0003772797.tif 000004
【図４】
0003772797.tif 000005
【図５】
0003772797.tif 000006
【図６】
0003772797.tif 000007
【図７】
0003772797.tif 000008
【図８】
0003772797.tif 000009
【図９】
0003772797.tif 000010
【図１０】
0003772797.tif 000011
【図１１】
0003772797.tif 000012
【図１２】
0003772797.tif 000013
【図１３】
0003772797.tif 000014
【図１４】
0003772797.tif 000015
【図１５】
0003772797.tif 000016